(57)【要約】【課題】ビューファインダー筐体内部を開けることなく、液晶表面もしくは液晶面保護カバー表面のクリーニングを行うことができるビューファインダーを提供する。【解決手段】ビューファインダー３０は、筐体内部に映像表示部の液晶表面もしくは液晶面保護カバー表面をクリーニングするクリーニング機構４０を備え、クリーニング機構４０は、筐体内部に摺動自在に挿入される動作レバー４１と、動作レバー４１に回動可能に固定されるリンク機構５１と、リンク機構５１に敷設されるクリーニング部材４９，５０とを備え、クリーニング時には、動作レバー４１を操作してリンク機構５１を駆動し、リンク機構５１により、液晶表面もしくは液晶面保護カバー表面にクリーニング部材４９，５０を圧接させながら摺動させる。【選択図】　図２
2004064179.tif 000002
【特許請求の範囲】
【請求項１】
被写体を撮像して光学画像を電気信号に変換する撮像部と、前記電気信号に変換された画像信号を記録再生する記録再生部とを備えるカメラ一体型記録再生装置に用いられ、前記画像信号を筐体内部の液晶表示部に表示するビューファインダーにおいて、
前記映像表示部の液晶表面又は液晶面保護カバー表面をクリーニングするクリーニング装置を前記筐体内部に備えることを特徴とするビューファインダー。
【請求項２】
前記クリーニング装置は、
前記筐体内部に摺動自在に挿入される動作レバーと、
前記動作レバーに回動可能に固定されるリンク機構と、
前記リンク機構に敷設されるクリーニング部材とを備え、
クリーニング時には、前記動作レバーを操作して前記リンク機構を駆動し、
前記リンク機構により、前記液晶表面又は液晶面保護カバー表面に前記クリーニング部材を圧接させながら摺動させることによりクリーニングを行うことを特徴とする請求項１記載のビューファインダー。
【請求項３】
前記リンク機構は、
非クリーニング時には、前記クリーニング部材を、前記液晶表面又は液晶面保護カバー表面から退避させることを特徴とする請求項２記載のビューファインダー。
【発明の詳細な説明】
【０００１】
【発明の属する技術分野】
本発明は、カメラ一体型記録再生装置等に用いられるビューファインダーに関する。
【０００２】
【従来の技術】
デジタルビデオカメラ等のカメラ一体型記録再生装置は、被写体を撮像して光学画像を電気信号に変換する撮像部と、前記画像信号を記録再生する記録再生部とを備え、画像信号はビューファインダーの液晶表示部に表示される。
従来、カメラ一体型記録再生装置の液晶表面もしくは液晶面保護カバー表面にゴミが付着したときは、ビューファインダー筐体に備えたクリーニング用の蓋を開けて外部よりクリーニングしていた。
【０００３】
図４は、従来のカメラ一体型記録再生装置のビューファインダーの外観とその一部を破断にして示す要部拡大図、図５は、図４のＡ−Ａ’矢視断面図である。これらの図において、１はカメラ一体型記録再生装置、２はカメラ一体型記録再生装置１のビューファインダーである。
【０００４】
ビューファインダー２の筐体３には、開閉可能なクリーニング用の蓋４が設けられており、液晶表面もしくは液晶面保護カバー５表面にゴミが付着した時にはクリーニング用の蓋４を開けて外部より綿棒６等によりクリーニングしていた。また、例えば実開平６−２５０６４号公報には、光学系内部をクリーニングする車載用監視カメラのクリーニング装置が開示されている。
【０００５】
図６は、上記公報記載のクリーニング装置の断面図である。図６において、内部光学系１０は、可動ヘッド１１により保持され、可動ヘッド１１には、内部光学系１０及びレンズ１２を保護する回転可能な透明カバー１３が組み込まれ、また透明カバー１３の外周面に摺動するようにワイパー１４が固定されている。よって駆動源により透明カバーを回転させることで当接したワイパー１４で表面のクリーニングをしていた。
【０００６】
【発明が解決しようとする課題】
従来のカメラ一体型記録再生装置等に用いられるビューファインダーでは、液晶表面もしくは液晶面保護カバー表面にゴミが付着したときは、ビューファインダー２の筐体３に備えたクリーニング用の蓋４を開けて外部より綿棒６等によりクリーニングしていた。したがって、クリーニング作業時に、蓋４を開けたときに内部にゴミ、異物等が進入するという問題があり、クリーニング時には周囲環境に注意する必要があった。また、その作業はだれにでも容易にできるものではなく、液晶表面もしくは液晶面保護カバー表面にキズを付ける等の弊害も合わせ持っていた。
また、上記公報記載の装置においては、車載用監視カメラの提案で駆動源にモータ等を使用しなければならないため小型化が難しく、かつ部品コストも高くなる等の問題があった。
【０００７】
本発明は、このような課題に鑑みてなされたものであって、ビューファインダー筐体内部を開けることなく、液晶表面もしくは液晶面保護カバー表面のクリーニングを行うことができるビューファインダーを提供することを目的とする。
【０００８】
【課題を解決するための手段】
本発明のビューファインダーは、被写体を撮像して光学画像を電気信号に変換する撮像部と、前記電気信号に変換された画像信号を記録再生する記録再生部とを備えるカメラ一体型記録再生装置に用いられ、前記画像信号を筐体内部の液晶表示部に表示するビューファインダーにおいて、前記映像表示部の液晶表面又は液晶面保護カバー表面をクリーニングするクリーニング装置を前記筐体内部に備えることを特徴としている。
【０００９】
より好ましい具体的な態様としては、前記クリーニング装置は、前記筐体内部に摺動自在に挿入される動作レバーと、前記動作レバーに回動可能に固定されるリンク機構と、前記リンク機構に敷設されるクリーニング部材とを備え、クリーニング時には、前記動作レバーを操作して前記リンク機構を駆動し、前記リンク機構により、前記液晶表面又は液晶面保護カバー表面に前記クリーニング部材を圧接させながら摺動させることによりクリーニングを行うものである。
前記リンク機構は、非クリーニング時には、前記クリーニング部材を、前記液晶表面又は液晶面保護カバー表面から退避させることがより好ましい。
【００１０】
前述の如く構成された本発明に係るビューファインダーは、筐体内部にクリーニング装置を設けることで従来技術では必要であった筐体部の開口なしにクリーニングが行えるためクリーニング時のゴミ進入等の問題点を改善できる。
また、クリーニング装置は、リンク機構のアームにクリーニング部材を保持し回転運動により液晶表面もしくは液晶面保護カバー表面に圧接し摺動することで表面のゴミを除去する。リンク機構の駆動は、筐体外部に出たレバーを引くことで行い、該リンクに連動してクリーニング部材が摺動しゴミの除去を行う。
【００１１】
【発明の実施の形態】
以下、添付図面を参照しながら本発明の好適なビューファインダーの実施の形態について詳細に説明する。
図１は、本発明の実施の形態のカメラ一体型記録再生装置のビューファインダーの外観とその一部を破断にして示す要部拡大図、図２は、図１のＡ−Ａ’矢視断面図である。図２は、クリーニング機構のスタンバイ時状態を示している。本実施の形態の説明にあたり、図４の従来例と同一構成部分には同一番号を付している。
【００１２】
図１及び図２において、２０はカメラ一体型記録再生装置、３０はカメラ一体型記録再生装置２０のビューファインダーである。
カメラ一体型記録再生装置２０は、被写体を撮像して光学画像を電気信号に変換する撮像部と、前記電気信号に変換された画像信号を記録再生する記録再生部とを備える。
ビューファインダー３０の筐体内部には、ビューファインダー３０の映像表示部の液晶表面もしくは液晶面保護カバー表面をクリーニングするクリーニング機構４０（クリーニング装置）を備える。
【００１３】
クリーニング機構４０は、ビューファインダー３０の筐体３０ａ外部にキャップ部４１ａを有し、ビューファインダー３０の筐体３０ａ内に摺動自在に挿入される動作レバー４１と、動作レバー４１の先端部４１ｂに回動可能に固定される連結アーム４２，４３と、一端が固定軸４４に回動可能に支持され、他端が連結アーム４２，４３の連結ピン４５，４６に回動可能に支持される駆動アーム４７，４８と、液晶表面もしくは液晶面保護カバー５表面に圧接するように駆動アーム４７，４８に敷設されるクリーニング部材４９，５０とを備えて構成される。
【００１４】
上記連結アーム４２，４３、固定軸４４、連結ピン４５，４６、及び駆動アーム４７，４８は、全体として、動作レバー４１の摺動動作を受けて作動するリンク機構５１を構成する。
以下、上述のように構成されたビューファインダー３０のクリーニング動作を説明する。
【００１５】
図３は、クリーニング機構のクリーニング時（作動時）の状態を示す断面図であり、図３（Ａ）は図１のＡ−Ａ’矢視断面図、図３（Ｂ）は図１の光軸方向の要部破断断面図である。
クリーニング部材４９，５０は、駆動アーム４７，４８に敷設され液晶表面もしくは液晶面保護カバー５表面に圧接するよう固定軸４４で保持されている。固定軸４４は、液晶表面もしくは液晶面保護カバー５が載置されるＬＣＤケース５２に固定されていて圧接量を調整できるように設置されている。また、クリーニング部材４９，５０の素材は、一旦除去したゴミを保持できるものが使用される。
【００１６】
駆動アーム４７，４８は、駆動バネ５３により常時開脚の状態で保持されている（図２参照）。
また、駆動アーム４７，４８は、連結アーム４２，４３と連結ピン４５，４６で連結され、かつ動作レバー４１の先端部４１ｂに連結されている。
【００１７】
動作レバー４１は、駆動バネ５３のバネ力によりビューファインダー３０の筐体３０ａに圧着して連通されるためスキマからのゴミ進入を防いでいる。また、動作レバー４１のキャップ部４１ａは、ビューファインダー３０の筐体３０ａの突起部３０ｂに嵌り込む構成となっており、ゴミ進入の更なる防止と意図しない動作レバー４１の引き出しが防止される。
【００１８】
クリーニング時には、図３に示すように、動作レバー４１を引くことで連結アーム４２，４３が連動し、駆動アーム４７，４８に回動運動をさせてクリーニング部材４９，５０を液晶表面もしくは液晶面保護カバー５に圧着されながら摺動させて表面のゴミを除去する。
【００１９】
このように、クリーニング機構４０は、液晶表面もしくは液晶面保護カバー表面５にクリーニング部材４９，５０を圧接させて、リンク機構５１によりクリーニング部材４９，５０を摺動させ、リンク機構５１の駆動は、ビューファインダー筐体外部に出た動作レバー４１にて行う。
【００２０】
以上のように、本実施の形態のビューファインダー３０は、筐体内部に映像表示部の液晶表面もしくは液晶面保護カバー表面をクリーニングするクリーニング機構４０を備え、クリーニング機構４０は、筐体内部に摺動自在に挿入される動作レバー４１と、動作レバー４１に回動可能に固定されるリンク機構５１と、リンク機構５１に敷設されるクリーニング部材４９，５０とを備え、クリーニング時には、動作レバー４１を操作してリンク機構５１を駆動し、リンク機構５１により、液晶表面もしくは液晶面保護カバー表面にクリーニング部材４９，５０を圧接させながら摺動させてクリーニングを行う構成としたので、ビューファインダー筐体内部を開けることなく液晶表面もしくは液晶面保護カバー表面のクリーニングを行うことができ、クリーニング時のゴミ進入を防ぐことができる。また、クリーニング時のゴミ進入を確実に防止できるので、塵埃の多い場所や湿気の多い場所、雨天中など、従来クリーニングに適さない環境下であっても場所を選ばずにクリーニングができる。筐体内部の気密が保たれることは、ビューファインダー自体の性能維持にも好適である。
また、クリーニングは、動作レバー４１のキャップ部４１ａを引くという非常に簡単な操作で行うことができるため、人を選ばずに安定したクリーニングが実現できる。
【００２１】
さらに、モータ等の駆動源を使用する前記公報記載のクリーニング装置に比べて明らかなように、軽量かつ小型のリンク機構を用いて構成したため、部品点数を大幅に減少させると共に、安価な部品を使用することで部品コストを格段に下げることができ、さらに、ビューファインダーの小型・軽量化を図ることができる。また、構造が簡単であるため、クリーニング装置のメンテナンス低減や信頼性を向上させることができる。
【００２２】
なお、上記実施の形態では、ビューファインダーをデジタルビデオカメラ等のカメラ一体型記録再生装置に適用した例であるが、筐体内の映像表示部の液晶表面もしくは液晶面保護カバー表面をクリーニングできるビューファインダーであればどのような装置にも適用可能である。例えば、ＤＶＤやＭＤ，フラッシュメモリ等の記録メディアに映像等を録再するカメラ一体型記録装置にも使用できる。
【００２３】
また、上記実施の形態では、２つの駆動アーム４７，４８及び連結アーム４２，４３を持つリンク機構の例を示したが、固定軸及び動作レバーの取り付け位置を適当にとることによって、１つの駆動アーム及び連結アームからなるリンク機構としてもよい。
また、リンク機構の名称は便宜上であって、他の例として、固定軸上に回動可能に取り付けられたアームを動作レバーが付勢に抗して引く、ワイパーのような構成であってもよい。
【００２４】
上記各構成例では、アームに敷設されたクリーニング部材が、映像表示部の液晶表面もしくは液晶面保護カバー表面を一方から他方に摺動する構成であるため、除去したゴミが液晶表面の中央部に集積して残存する可能性をなくすことができる。
さらに、上記ビューファインダー及びクリーニング装置を構成する各部品の種類、数及び取り付け方法などは前述した実施の形態に限られない。
【００２５】
【発明の効果】
以上、詳述したように、本発明によれば、ビューファインダー筐体内部を開けることなく、液晶表面もしくは液晶面保護カバー表面のクリーニングを行うことができる。
【図面の簡単な説明】
【図１】本発明の実施の形態のカメラ一体型記録再生装置のビューファインダーの外観とその一部を破断にして示す要部拡大図である。
【図２】図１のＡ−Ａ’矢視断面図である。
【図３】本発明の実施の形態のビューファインダーのクリーニング機構のクリーニング時の状態を示す断面図である。
【図４】従来のカメラ一体型記録再生装置のビューファインダーの外観とその一部を破断にして示す要部拡大図である。
【図５】図４のＡ−Ａ’矢視断面図である。
【図６】従来のクリーニング装置の断面図である。
【符号の説明】
２０　カメラ一体型記録再生装置
３０　ビューファインダー
３０ａ　筐体
３０ｂ　突起部
４０　クリーニング機構（クリーニング装置）
４１　動作レバー
４１ａ　キャップ部
４１ｂ　先端部
４２，４３　連結アーム
４４　固定軸
４５，４６　連結ピン
４７，４８　駆動アーム
４９，５０　クリーニング部材
５１　リンク機構
５２　ＬＣＤケース
５３　駆動バネ
【図１】
2004064179.tif 000003
【図２】
2004064179.tif 000004
【図３】
2004064179.tif 000005
【図４】
2004064179.tif 000006
【図５】
2004064179.tif 000007
【図６】
2004064179.tif 000008